(57)【要約】【課題】保湿容器の密閉性を高めるとともに中身のウェットティッシュ等を片手で取り出しやすくする。【解決手段】湿潤シート１２を収納する容器本体と、この容器本体に形成された湿潤シートの取出口２と、この取出口を開閉する容器本体にヒンジ５で結合された開閉蓋３とを具備する。取出口には、軟質材で形成された屈曲自在な筒体７が連結され、湿潤シートが取出口からこの筒体内を通って容器本体外に引き出されるようにしたことから、湿潤シートを滑らかに取出口から引き出すことができる。【選択図】図４
2008100750.tif 000002
【特許請求の範囲】
【請求項１】
湿潤シートを収納する容器本体と、この容器本体又は容器本体の着脱部材に形成された湿潤シートの取出口と、この取出口を開閉する上記容器本体又は上記着脱部材にヒンジ結合された開閉蓋とを具備した保湿容器において、上記取出口には、軟質材で形成された屈曲自在な筒体が連結され、湿潤シートが上記取出口からこの筒体内を通って容器本体外に引き出されるようにしたことを特徴とする保湿容器。
【請求項２】
請求項１に記載の保湿容器において、上記開閉蓋が閉じた時に上記筒体を上記容器本体又は上記着脱部材に押し付けて扁平にする押圧部が上記開閉蓋に設けられたことを特徴とする保湿容器。
【請求項３】
請求項２に記載の保湿容器において、上記筒体を載せる載せ台が上記押圧部に対峙するように上記容器本体又は上記着脱部材に設けられたことを特徴とする保湿容器。
【請求項４】
請求項１に記載の保湿容器において、上記開閉蓋が閉じる時に上記筒体を上記ヒンジと反対側へと付勢する付勢部が上記開閉蓋に設けられたことを特徴とする保湿容器。
【請求項５】
請求項１に記載の保湿容器において、上記開閉蓋と容器本体又は上記着脱部材との間に上記開閉蓋を常時開方向に付勢するバネ部材が介装されたことを特徴とする保湿容器。
【請求項６】
請求項１乃至請求項５のいずれかに記載の保湿容器において、上記着脱部材が、上記容器本体に形成された湿潤シートの積層体又はロールの挿入口を開閉する蓋体であることを特徴とする保湿容器。
【請求項７】
請求項１に記載の保湿容器において、屈曲自在な筒体をヒンジ側に傾斜するように癖付けし、常に筒体の先端がヒンジ側に向くようにしたことを特徴とする保湿容器。
【発明の詳細な説明】
【技術分野】
【０００１】
本発明は、ウェットティッシュ等の湿潤シートを収納する保湿容器に関する。
【背景技術】
【０００２】
ウェットティッシュ等の湿潤シートを収納する保湿容器は、湿潤シートを収納する容器本体と、この容器本体に形成された湿潤シートの取出口と、この取出口を開閉する容器本体にヒンジ結合された開閉蓋とを具備する。湿潤シートは、その多数のものがＺ字状に折られ、隣り合うもの同士で折れ部が互いに他方の間に入り込むように積み重ねられた状態で容器本体内に収納され、あるいは連続状の湿潤シートが一定間隔で入れられた切取線上でジグザグ折りされた状態で容器本体内に収納され、あるいは切取線が所定間隔で設けられた連続シートがロール状に巻き取られた状態で容器本体内に収納される。最上位の湿潤シート又は始端側の湿潤シートを取出口から引き出すと、これに連なるように後続の湿潤シートの先端部分が取出口から引き出され、取出口の端に引っ掛かって停止する。以後同様にして湿潤シートが一枚ずつ取出口から取り出される。
【０００３】
また、この種の保湿容器の開閉蓋は、湿潤シートに含浸したアルコール等の薬液、水等が蒸散しないように、湿潤シートの取出口の周辺部に密着するように、パッキン等のシール部材と共に設けられる（例えば、特許文献１，２，３，４，５参照。）。
【０００４】
また、この種の保湿容器の開閉蓋は、湿潤シートを取り出しやすくするため、そのヒンジに対応する箇所に設けられたバネ部材により常時開方向に付勢される（例えば、特許文献１，２参照。）。
【０００５】
【特許文献１】特開平１１−４９２０６号公報
【特許文献２】特開２０００−１４２８４２号公報
【特許文献３】特開２００１−２２５８７９号公報
【特許文献４】特表２００２−５２９３２２号公報
【特許文献５】特開２００４−２９９７６８号公報
【発明の開示】
【発明が解決しようとする課題】
【０００６】
ウェットティッシュ等の湿潤シートの先行するものが取出口から取り出されると、後続のものが先行するものに引きずられて取出口の縁に引っかかって停止し待機状態に保持される。ところが、取出口が大面積であるとか、円形等単純な形状であったりすると、後続の湿潤シートが容器本体内に落下し、次回の湿潤シートの取り出しが面倒になる。そのため、後続の湿潤シートの先端部が取出口に適正に保持されるように、従来の保湿容器の取出口は小面積に形成され（例えば、特許文献２参照。）、あるいは取出口の縁に湿潤シートの先端部を掛けるための突起等が形成される（例えば、特許文献１参照。）。
【０００７】
ところが、取出口を小さくしたり、取出口の縁を特殊な形状にしたりすると、後続の湿潤シートを待機位置に適正に保持することができるが、その湿潤シートを取り出そうとするときに、先端部を摘み難く、また、取り出す際に湿潤シートが取出口側に強い力で拘束されるので、湿潤シートに引きずられ容器が持ち上げられ、結局湿潤シートを取り出すことができなくなるという問題がある。このため、容器から湿潤シートを取り出すには、一方の手で湿潤シートをつかみ、他方の手で容器を押さえるといった面倒な操作が必要となる。その場合、汚れた手で容器を押さえることになるので、容器が汚れるという問題も生じる。
【０００８】
また、容器における湿潤シートの取出口の周辺部には、湿潤シートに含浸したアルコール等が蒸散しないように、パッキン等のシール部材を設ける必要があるが、そのため部品点数が増え、容器の構造を複雑化するという問題がある。
【０００９】
本発明はこのような問題を解消することができる保湿容器を提供することを目的とする。
【課題を解決するための手段】
【００１０】
上記課題を解決するため、本発明は次のような構成を採用する。
【００１１】
すなわち、請求項１に係る発明は、湿潤シート（１２）を収納する容器本体（１）と、この容器本体（１）又は容器本体（１）の着脱部材（１６ａ）に形成された湿潤シート（１２）の取出口（２）と、この取出口（２）を開閉する容器本体（１）又は着脱部材（１６ａ）にヒンジ（５）で結合された開閉蓋（３）とを具備した保湿容器において、取出口（２）には、軟質材で形成された屈曲自在な筒体（７）が連結され、湿潤シート（１２）が取出口（２）からこの筒体（７）内を通って容器本体（１）外に引き出されるようにしたことを特徴とする。
【００１２】
この請求項１に記載の保湿容器において、開閉蓋（３）が閉じた時に筒体（７）を容器本体（１）又は着脱部材（１６ａ）に押し付けて扁平にする押圧部（１１）が開閉蓋（３）に設けられたものとすることができる。その場合、筒体（７）を載せる載せ台（１３）が押圧部（１１）に対峙するように容器本体（１）又は着脱部材（１６ａ）に設けられたものとすることができる。
【００１３】
また、請求項１に記載の保湿容器において、開閉蓋（３）が閉じる時に筒体（７）をヒンジ（５）と反対側へと付勢する付勢部（１４）を開閉蓋（３）に設けてもよい。
【００１４】
また、請求項１に記載の保湿容器において、開閉蓋（３）と容器本体（１）又は着脱部材（１６ａ）との間に開閉蓋（３）を常時開方向に付勢するバネ部材（６）を介装してもよい。
【００１５】
また、上記保湿容器において、着脱部材（１６ａ）は、容器本体（１）に形成された湿潤シート（１２）の積層体又はロールの挿入口を開閉する蓋体とすることができる。
【００１６】
また、上記保湿容器において、屈曲自在な筒体（７）をヒンジ（５）側に傾斜するように癖付けし、常に筒体（７）の先端（７ａ）がヒンジ（５）側に向くようにすることもできる。
【発明の効果】
【００１７】
本発明によれば、湿潤シート（１２）を収納する容器本体（１）と、この容器本体（１）又は容器本体（１）の着脱部材（１６ａ）に形成された湿潤シート（１２）の取出口（２）と、この取出口（２）を開閉する容器本体（１）又は着脱部材（１６ａ）にヒンジ（５）で結合された開閉蓋（３）とを具備した保湿容器において、取出口（２）には、軟質材で形成された屈曲自在な筒体（７）が連結され、湿潤シート（１２）が取出口（２）からこの筒体（７）内を通って容器本体（１）外に引き出されるようにしたことから、湿潤シート（１２）を滑らかに取出口（２）から引き出すことができ、その際容器本体（１，１６）が持ち上げられることもなく片手操作が可能となる。また、後続の湿潤シート（１２）の先端部（１２ａ）が筒体（７）に保持されるので、後続の湿潤シート（１２）における先端部（１２ａ）の容器本体（１，１６）内への落下が阻止され、従って次回の湿潤シート（１２）の取り出しも円滑に行うことができる。また、この後続の湿潤シート（１２）を取り出す際にその先端部（１２ａ）を指で摘みやすくなる。さらに、筒体（７）を押圧し扁平にすることで容器内を密封することができ、従ってパッキン等のシール部材を別途用意する必要がなく、容器の構造を簡素化することができる。
【発明を実施するための最良の形態】
【００１８】
次に、本発明の実施の形態について図面を参照して説明する。
【００１９】
＜実施の形態１＞
図１乃至図３に示すように、この保湿容器は、湿潤シートを収納する容器本体１と、この容器本体１に形成された湿潤シートの取出口２と、この取出口２を開閉する容器本体１に連結された開閉蓋３とを具備する。
【００２０】
容器本体１は、たとえば合成樹脂により略直方体の殻体として形成される。容器本体１の底壁１ａは容器本体１の周壁に対し凹凸縁１ｂを介して着脱自在に嵌合する。凹凸縁１ｂの嵌合により、容器本体１内が密封状態に保たれる。凹凸縁１ｂの嵌合を解除してこの底壁１ａを外すことにより、容器本体１内に湿潤シートを収納することができる。
【００２１】
湿潤シートは、従来と同様にその多数のものがＺ字状に折られ、隣り合うもの同士で折れ部が互いに他方の間に入り込むように積み重ねられる。湿潤シートの積み重なったものの全体には、アルコール等の薬液、水等が含浸している。この湿潤シートの積み重なったものは当初袋４内に詰められた状態で保湿容器の容器本体１内に収納される。湿潤シートを保湿容器から一枚ずつ取り出す際に袋４が容器本体１から取り出され、開封された後に中味の湿潤シートのみ又は開封された袋４とともに容器本体１内に戻される。
【００２２】
取出口２は、容器本体１の天壁１ｃに楕円形、長方形等に形成され、容器本体１の天壁１ｃの長手方向に伸びるように配置される。その面積、形状は、望ましくは少なくとも親指と人差指の二本の指が入る程度とされる。このようにすると湿潤シートの使い始めの場合や、湿潤シートの先端部が容器本体１内に落下した場合に、容器本体１内に指を差し込み湿潤シートの先端部を摘んで引き出しやすくするうえで便宜である。
【００２３】
開閉蓋３は、容器本体１の天壁１ｃを上記取出口２の上から覆うように設けられる。天壁１ｃの取出口２周辺は凹部として形成され、この凹部内に開閉蓋３が閉状態となって入り込むと、開閉蓋３の表面と容器本体１の表面とが同一面化する。開閉蓋３は概ね長方形に形成され、その後部が天壁１ｃの後部すなわち容器本体１の後部にヒンジピン５を介して連結される。開閉蓋３はこのヒンジピン５を介して上下方向に回動可能であり、このヒンジピン５を支点に回動することにより取出口２を開閉する。
【００２４】
また、図３および図４に示すように、開閉蓋３の後部と天壁１ｃの後部との間には、開閉蓋３を常時開方向に付勢するバネ部材６が介装される。バネ部材６としては、金属製のコイルバネ、板バネ等を用いることができるが、シリコン樹脂製の板バネであるのが望ましい。このバネ部材６がヒンジピン５よりやや前側で開閉蓋３と天壁１ｃとの間に屈曲状態で介装される。バネ部材６の作用により、開閉蓋３はヒンジピン５を支点にして常時上方向に回動しようとする。
【００２５】
一方、開閉蓋３の前端部に対応して天壁１ｃの前端部にはロック片８が設けられる。ロック片８は、天壁１ｃに対し枢ピン８ａを介して上下に回動自在に支持される。ロック片８の枢ピン８ａより開閉蓋３側に寄った箇所には、開閉蓋３の前端に設けられた突起３ａが引っ掛かるロック部８ｂが設けられ、枢ピン８ａよりも容器本体１の前側には、開閉蓋３の開閉操作をする際に指で押さえる指掛け部８ｃと、指掛け部８ｃの押圧により変形するバネ片８ｄとが設けられる。開閉蓋３が閉まった状態では、開閉蓋３の突起３ａがロック片８のロック部８ｂに引っ掛かって、ロック片８が枢ピン８ａの回りを反時計方向に付勢されている。指掛け部８ｃをバネ片８ｄが変形するように押圧すると、ロック片８が枢ピン８ａの回りを反時計方向に回動し、ロック部８ｂが突起３ａから離反し、これにより、開閉蓋３はロック片８から解放され、バネ部材６の弾性作用によりヒンジピン５の回りを上方向に回動し、取出口２を開放する。
【００２６】
図１乃至図４に示すように、上記取出口２には、軟質材で形成された屈曲自在な筒体７が連結され、湿潤シート１２が上記取出口２からこの筒体７内を通って容器本体１外に引き出されるようになっている。筒体７は、シリコンゴム、エラストマー等で形成され、望ましくはガスバリア性、水蒸気バリア性が付与される。この筒体７が容器本体１の天壁１ｃに取出口３を覆うように連結され、接合具、接着剤等の所望の固定手段により天壁１ｃに接合される。具体的には、取出口２の周縁から環状壁９が起立し、この環状壁９に筒体７の一端が被せられ、筒体７の外側から筒状の接合具１０が被せられる。接合具１０はそのピン片１０ａが天壁１ｃの小孔に差し込まれることにより天壁１ｃに固定される。筒体７の一端は、環状壁９と接合具１０との間に挟まれた状態で天壁１ｃに固定される。筒体７は取出口２から天壁１ｃの上へと突出し開閉蓋３内に止まる程度の長さとなって延びる。筒体７の先端７ａは開放状態とされる。
【００２７】
このように取出口２に筒体７が連結されることにより、図５に示すように、湿潤シート１２が取出口２から筒体７を通って引き出される際、扁平に押し潰された状態にあった筒体７が拡がり湿潤シート１２の通過を許容する。この筒体７は容易に変形するので、湿潤シート１２を引く力によって容器本体１が持ち上げられるようなことはなく、湿潤シート１２は円滑に取出口２及び筒体７を天壁１ｃの上方へと通過する。そして、後続する湿潤シート１２はその先端部が筒体７の先の待機位置まで引き出されたところで停止する。湿潤シート１２の先端部は容器本体１内に落下しないように天壁１ｃ上に保持される。図４中、符号１２ａは筒体７の先の待機位置まで引き出された後続の湿潤シート１２の先端部を示す。
【００２８】
また、湿潤シート１２を筒体７から引き出す際、湿潤シート１２は筒体７の内面により扱かれ、これによりアルコール等の余剰の含浸液が容器本体１内に戻される。
【００２９】
図１及び図４に示すように、開閉蓋３が閉じた時に筒体７を容器本体１に押し付けて扁平にする押圧部１１が開閉蓋３に設けられる。押圧部１１は開閉蓋３の内面にリブ状に形成され、容器本体１の左右方向に平行に伸びる。開閉蓋３が閉じると、この押圧部１１が筒体７を天壁１ｃ上に押し付けて扁平に押し潰す。
【００３０】
また、この押圧部１１による筒体７の押圧をより効果的に行うため、筒体７を載せる載せ台１３が押圧部１１に対峙するように容器本体１に必要に応じて設けられる。
【００３１】
また、開閉蓋４を閉じる時に筒体７をヒンジピン５と反対側へと付勢する付勢部１４が開閉蓋３に必要に応じて設けられる。付勢部１４は開閉蓋３の内面に環状壁９とバネ部材６との間に位置するように設けられ、開閉蓋３が閉じ切る前に筒体７を環状壁９上に押し倒す。この付勢部１４によって筒体７は扁平化が促進され、取出口２を適正に遮蔽する。
【００３２】
次に、上記構成の保湿容器の作用について説明する。
【００３３】
湿潤シート１２は当初多数枚積み重ねられた状態で袋４内に詰められ、保湿容器の容器本体１内に収納された状態で販売される。
【００３４】
使用者は、購入当初容器本体１の底壁１ａを外して袋４を取り出し、袋４を開いて湿潤シート１２の積層体を取り出し、この積層体を容器本体１内に収納し、再び底壁１ａで容器本体１を閉じる。
【００３５】
そして、ロック片８の指掛け部８ｃを押して開閉蓋３のロックを解除する。開閉蓋３はバネ部材６の復元力により上方に回動し、筒体７の上側を開放する。
【００３６】
使用者は、筒体７の先端から取出口２内に指を差し込み、容器本体１内の最上位の湿潤シート１２を外に引き出す。
【００３７】
湿潤シート１２は、図５に示すように、取出口２から筒体７内を通って引き出される。その際、筒体７の弾性変形、摩擦等により湿潤シート１２に抵抗力が作用するが、その抵抗力は湿潤シート１２を引っ張る力に比べて極めて小さいので、湿潤シート１２を引く力によって容器本体１が持ち上げられるようなことはなく、湿潤シート１２は円滑に取出口２外に引き出される。また、湿潤シート１２の引き出しの際、湿潤シート１２は筒体７の内面により扱かれ、アルコール等の余剰の含浸液が容器本体１内に戻される。
【００３８】
この先行する湿潤シート１２が引き出されると、後続する湿潤シート１２はその先端部１２ａが筒体７の先端７ａよりやや先の待機位置まで引き出されたところで停止する。これにより、湿潤シート１２の先端部１２ａは待機位置に保持され、容器本体１内への落下が防止される。
【００３９】
湿潤シート１２がそれ以上必要でない場合は、使用者により開閉蓋３が閉じられる。使用者が開閉蓋３をバネ部材６の付勢力に抗して閉じると、開閉蓋３の突起３ａがロック片８のロック部８ｂに引っ掛かり、これにより開閉蓋３が閉状態に保持される。
【００４０】
開閉蓋３が閉じると、図４に示すように、開閉蓋３の内面が付勢部１４と共に筒体７を環状壁９上に押し倒し、さらに押圧部１１が筒体７をその中の湿潤シート１２ごと載せ台１３上に押し付けて扁平に押し潰す。これにより、取出口２が密封され、湿潤シート１２の含浸液の揮散が防止され、さらには取出口２からの容器本体１内における湿潤シート１２の含浸液の揮散が防止される。
【００４１】
＜実施の形態２＞
図６に示すように、この実施の形態２では、容器本体１６の着脱部材１６ａに湿潤シート１２の取出口２が形成され、この取出口２を開閉する開閉蓋３が着脱部材１６ａに連結される。開閉蓋３下の取出口２、筒体７等の構成は実施の形態１のものと同様である。
【００４２】
着脱部材１６ａは、具体的には容器本体１６に形成された湿潤シート１２の積層体の挿入口を開閉するための蓋体である。この場合、容器本体１６は円筒形に形成され、この円筒形の容器本体１６の一端に蓋体である着脱部材１６ａが着脱自在に取り付けられている。この蓋体は容器本体１６にネジ、凹凸嵌合等の適宜手段により取り付けられている。
【００４３】
なお、この実施の形態２において実施の形態１のものと同じ部分には同一符号を付して示すこととし、重複した説明を省略する。
【００４４】
＜実施の形態３＞
図７に示すように、この実施の形態３では、屈曲自在な筒体７がヒンジ５側に傾斜するように癖付けされる。その結果、開閉蓋３を開けると、常に筒体７の先端７ａがヒンジ５側に向くこととなる。
【００４５】
なお、この実施の形態３において実施の形態１のものと同じ部分には同一符号を付して示すこととし、重複した説明を省略する。
【００４６】
本発明は以上説明したように構成されるが、上記実施の形態１，２，３に限定されるものではない。
【図面の簡単な説明】
【００４７】
【図１】本発明の実施の形態１に係る保湿容器の平面図である。
【図２】図１中、ＩＩ−ＩＩ線矢視断面図である。
【図３】図１中、ＩＩＩ−ＩＩＩ線矢視断面図である。
【図４】図３の部分拡大図である。
【図５】図４中、開閉蓋を開けた状態で示す部分拡大図である。
【図６】本発明の実施の形態２に係る保湿容器の斜視図である。
【図７】本発明の実施の形態３に係る保湿容器の斜視図である。
【符号の説明】
【００４８】
１，１６…容器本体
２…取出口
３…開閉蓋
５…ヒンジピン
６…バネ部材
７…筒体
７ａ…先端
１１…押圧部
１２…湿潤シート
１３…載せ台
１４…付勢部
１６ａ…着脱部材
【図１】
2008100750.tif 000003
【図２】
2008100750.tif 000004
【図３】
2008100750.tif 000005
【図４】
2008100750.tif 000006
【図５】
2008100750.tif 000007
【図６】
2008100750.tif 000008
【図７】
2008100750.tif 000009